(57)【要約】  【課題】桝周囲に貯水機能を有した敷設をすることなく、雨水桝自体に浸透及び貯水機能を有した浸透貯水桝の敷設構造を提供すること。  【解決手段】掘削された路面穴に、桝本体底面１１の一部又は全体に底面開口部１２が設けられてなる浸透貯水桝１００を設置し、前記底面開口部１２に、雨水浸透性かつ一定量の雨水貯水性を有する浸透貯水部材５０を埋入した。【選択図】図１
2006077493.tif 000002
【特許請求の範囲】
【請求項１】
道路に設置される浸透貯水桝の敷設構造において、
掘削された路面穴に、桝本体底面の一部又は全体に底面開口部が設けられてなる浸透貯水桝を設置し、
前記底面開口部に、雨水浸透性かつ一定量の雨水貯水性を有する浸透貯水部材を埋入してなることを特徴とする浸透貯水桝の敷設構造
【請求項２】
道路に設置される浸透貯水桝の敷設構造において、
掘削された路面孔に、上面から下面まで貫通する通水孔が設けられた第１ベース部を設置し、
該第１ベース部に、底面の一部又は全体に底面開口部が設けられてなる桝本体を設置し、
該第１ベース部の通水孔又は／及び底面開口部に雨水浸透性かつ一定量の雨水貯水性を有する浸透貯水部材を埋入してなることを特徴とする浸透貯水桝の敷設構造。
【請求項３】
道路に設置される浸透貯水桝の敷設構造において、
掘削された路面孔に、桝本体底面の一部又は全体に底面開口部が設けられてなる下部貯水桝を設置し、
該下部貯水桝に、桝本体底面の一部又は全体に底面開口部が設けられた上部集水桝を設置し、
前記下部貯水桝の内側に雨水浸透性かつ一定量の雨水貯水性を有する浸透貯水部材を埋入してなることを特徴とする浸透貯水桝の敷設構造。
【請求項４】
下部貯水桝の下方に、上面から下面まで貫通する通水孔が設けられた第１ベース部を設置してなることを特徴とする請求項３に記載の浸透貯水桝の敷設構造。
【請求項５】
下部貯水桝と上部集水桝との間にそれぞれの桝を連結する第２ベース部を設置してなることを特徴とする請求項３又は４に記載の浸透貯水桝の敷設構造。
【請求項６】
浸透貯水部材は、ポーラスコンクリート又は単粒度砕石からなることを特徴とする請求項１から５の何れかに記載の浸透貯水桝の敷設構造。
【発明の詳細な説明】
【技術分野】
【０００１】
本発明は、道路の雨水を流す側溝の途中に設置される雨水桝等の集水桝の敷設構造に関するものであり、特に集水機能及び貯水機能を有し、かつ地中に浸透させる機能をも有する浸透貯水桝の敷設構造に関する。
【背景技術】
【０００２】
従来、雨水の大半は地中に浸透して地下へ浸透し、河川や地下水へと流れていった。地中内の土砂は貯水機能を有するため、時間をかけて徐々に地下水として浸透していき、徐々に河川に流れていく。そのため、昔は地下水や河川の水量は安定して保たれていた。しかし、近年の都市開発によって地表が舗装化されるにつれて、雨水は側溝等の排水施設を通って直接に河川へ流されていくことが多くなった。すなわち、雨水は道路上を流れて側溝に集水され、側溝から集水桝を介して配水管を通って早いスピードで河川へ流れていく。そのため、地中による貯水機能は奪われ、地下水は減少し、河川の平常時流水量の減少を招くことになった。極端な場合には河川の水位が全くなくなってしまう地域さえ現れ始めている。その一方で大雨が降った場合には、大量の雨水が地中に浸透することなく一度に河川に流れ込むので河川の水量は短期間で急激に増加して、水位の急激な上昇を招き易く成っている。以上の事情から、舗装道路に降った雨水を一時的に貯水し、結果的に地中へ浸透させることができる排水施設が必要とされている。
【０００３】
そこで、従来から雨水が集水される集水桝に浸透機能をもたせ、地中に雨水を浸透させる雨水浸透桝が開発されてきた。例えば、図１３に示すようなポーラスな壁面を有する四角筒形状の本体４と、該本体４の上端開口を塞ぐ蓋体５とからなる雨水浸透桝において、上記四角筒形状の本体４をその四角筒の軸芯を含む対角面で４分割した形状となる板状ブロック１の突き合わせにより構成した雨水浸透桝について提案されている。
【０００４】
この雨水浸透桝の敷設構造は、簡単に説明すると、図１４に示すように雨水桝の設置穴の掘削を行い、該掘削穴３０の大きさに合わせて切断した透水シート３１を掘削穴の周囲に付設し、続いて、掘削穴３０の下部に砕石３２を投入する。その上に雨水浸透桝を設置する。そして、設置した雨水浸透桝の本体と上記透水シート３１との間隙に砕石３６を投入して間隙を埋め、最後に表層を整地するというものである（以上、特許文献１参照）。
【０００５】
また、図１５に示すように、雨水５５を流す配水管路に配設され、雨水を地中に浸透させるための雨水浸透桝２０であって、壁面部２５に複数の第１貫通孔２６が形成され、上部の開口部２７に蓋２８が取り付けられる桝本体２９と、この桝本体の壁面部の少なくとも筒状部を囲って設けられ、前記壁面部の周囲にスペース３０を形成するような形状を有し、かつ複数の第２の貫通孔３１が形成されたスペース形成部材３２と、このスペース形成部材を囲って設けられ雨水が透過可能な透水性シート材３４とを備えた雨水浸透桝も開示されている。
【０００６】
この雨水浸透桝は、最初に雨水浸透桝２０を設置するための大きめの穴４５を堀り、この穴４５の中に雨水浸透桝２０を設置する。そして、いくつかの工程の後、穴４５の内面と雨水浸透桝２０との間の空間部に砂４６を所定の高さ位置Ｂまで充填するという敷設構造をとる（以上特許文献２）。
【０００７】
これらの従来の集水桝は、集水桝に孔等を穿って浸透性を確保しているが、貯水機能は桝の外に埋められる砕石や砂によって得ていた。従って、集水桝自体に貯水機能を有するものではなかった。また、従来の雨水浸透桝は、周囲に貯水機能を持たせる必要があるため、砕石や土砂の間に一定の空隙を設けた状態で周囲を埋めなければならない。しかし、一定の空隙を設けた状態で埋めると強度を確保することができず実際としては非常に敷設が難しかった。
【特許文献１】特開平１１−２５６６６４号公報
【特許文献２】特開２０００−２８２５５４号公報
【発明の開示】
【発明が解決しようとする課題】
【０００８】
そこで、本発明は以上のような問題点を鑑みてなされたものであり、桝周囲に貯水機能を有した敷設をすることなく、雨水桝自体に浸透及び貯水機能を有した浸透貯水桝の敷設構造を提供することにある。
【課題を解決するための手段】
【０００９】
以上のような課題を解決するために、請求項１に記載された発明が採った手段は、道路に設置される浸透貯水桝１００の敷設構造において、掘削された路面穴に、桝本体底面１１の一部又は全体に底面開口部１２が設けられてなる浸透貯水桝１００を設置し、前記底面開口部１２に、雨水浸透性かつ一定量の雨水貯水性を有する浸透貯水部材５０を埋入してなることを特徴とする浸透貯水桝１００の敷設構造、とするものである。
【００１０】
本請求項１に記載された浸透貯水桝１００の敷設構造は、雨水桝自体に雨水を貯水する機能及び浸透機能を付加したものである。そのため桝本体の底面に、雨水を貯水可能で、かつ浸透可能な浸透貯水部材５０を埋入したものである。浸透貯水桝１００の底面部において雨水を貯水でき、浸透させることができるのである。なお、本発明の浸透貯水桝１００は、側面に雨水の浸透貯水機能を持たせてはいない。これは側面に雨水の浸透貯水機能を付与すると浸透貯水桝１００の周囲にも浸透貯水機能を有するように土砂や砂利を埋設する必要がある。そうすると、これら埋設された土砂や砂利の間に空隙を設ける必要があるためこれら土砂等を押し固めることができず、浸透貯水桝１００の周囲の土砂によって浸透貯水桝を完全に固定することができなくなってしまうからである。そこで、本発明の浸透貯水桝１００は、底面側にのみ浸透機能を持たせて側面には浸透機能を持たせることなく、周囲の埋設される土砂の浸透性を必要とさせずに完全に固めることができるため安定して浸透貯水桝１００を固定することができるのである。なお、浸透貯水桝１００の底面にある浸透貯水部材５０を埋入する底面開口部１２の大きさや底面の厚さは特に限定するものではない。貯水機能を向上させたければ、底面開口部１２を大きく、かつ底面を厚く設ければよい。
【００１１】
さらに、請求項２に記載された発明が採った手段は、道路に設置される浸透貯水桝１００の敷設構造において、掘削された路面孔に、上面から下面まで貫通する通水孔４１が設けられた第１ベース部４０を設置し、該第１ベース部４０に、底面の一部又は全体に底面開口部が設けられてなる桝本体１０を設置し、該第１ベース部４０の通水孔４１又は／及び底面開口部に雨水浸透性かつ一定量の雨水貯水性を有する浸透貯水部材５０を埋入してなることを特徴とする浸透貯水桝１００の敷設構造、とするものである。
【００１２】
請求項２に記載の浸透貯水桝１００の敷設構造は、請求項１記載の桝本体１０の底面に別体で作製された第１ベース部４０を設置したものである。別体の第１ベース部４０を設けることによって、路面孔の基礎部に桝本体１０よりも広い面積で設置することができるため、桝本体１０の載置状態を安定させることができる。また、底面部を別体に設けることで、様々な厚さや通水孔の大きさを有する第１ベース部４０を用意しておくことができ、様々な浸透貯水性能を有する浸透貯水桝１００を作製することができる。
【００１３】
さらに、請求項３に記載された発明が採った手段は、道路に設置される浸透貯水桝１００の敷設構造において、掘削された路面孔に、桝本体２１底面の一部又は全体に底面開口部が設けられてなる下部貯水桝２０を設置し、該下部貯水桝２０に、桝本体底面の一部又は全体に底面開口部が設けられた上部集水桝３０を設置し、前記下部貯水桝２０の内側に雨水浸透性かつ一定量の雨水貯水性を有する浸透貯水部材５０を埋入してなることを特徴とする浸透貯水桝１００の敷設構造、とするものである。
【００１４】
請求項３に記載された発明は、集水機能を有する桝と、貯水機能を有する桝とを分離したものである。すなわち、集水機能を上部集水桝３０に集中し、貯水機能を下部貯水桝２０に集中させたものである。上部集水桝３０は、従来の雨水桝の機能を有するものであり、底面に下部貯水桝２０を有し、そこに雨水を浸透させる機能を有する点以外は従来の桝と基本的には異なるところはない。下部貯水桝２０は、内部を浸透貯水部材５０で埋入されていて雨水の貯水機能及び浸透機能を有するものである。上部集水桝３０に集水された雨水は、下部貯水桝２０に流れ埋入された浸透貯水部材５０によって、一定量貯水されて徐々に地中に浸透していくことになる。浸透しきれない雨水は、上部集水桝に設けられた従来と同様のオーバーフロー管を通して排水されていく。このように下方に貯水浸透機能を有する貯水桝を設置することで、従来であれば桝の外側に貯水浸透機能を有する埋設物を設置しなければならなかったのであるが、本発明は貯水桝内にそのような機能を有しているので、その必要はなくなる。勿論そのような埋設物を設置することを排除するものではない。
【００１５】
さらに、請求項４に記載された発明の採った手段は、下部貯水桝２０の下方に、上面から下面まで貫通する通水孔４１が設けられた第１ベース部４０を設置してなることを特徴とする請求項３に記載の浸透貯水桝１００の敷設構造、とするものである。
【００１６】
本発明は、下部貯水桝２０の底面に別体に作製された第１ベース部４０を設けたものである。請求項２記載の発明と同様に、別体の第１ベース部４０を設けることによって、基礎部に下部貯水桝２０よりも広い面積で基礎部に載置することができるため浸透貯水桝１００を安定させることができる。
【００１７】
さらに、請求項５に記載された発明の採った手段は、下部貯水桝２０と上部集水桝３０との間にそれぞれの桝を連結する第２ベース部４５を設置してなることを特徴とする請求項３又は４に記載の浸透貯水桝１００の敷設構造、とするものである。
【００１８】
第２ベース部４５は、下部貯水桝２０と上部貯水桝３０の連結部材としての機能を有するものである。このような連結部材を用いることにより、下部貯水桝２０に容易に上部貯水桝３０を載置することができる。
【００１９】
さらに、請求項６に記載された発明の採った手段は、浸透貯水部材５０は、ポーラスコンクリート又は単粒度砕石からなることを特徴とする請求項１から５の何れかに記載の浸透貯水桝の敷設構造、とするものである。これは浸透貯水部材５０として安価で、かつ貯水機能の優れるポーラスコンクリートや単粒度砕石を利用したものである。
【発明の効果】
【００２０】
請求項１に記載の浸透貯水桝の敷設構造によれば、貯水桝の底面に底面開口部を設け、その底面開口部に浸透貯水部材を導入することによって、底面部に貯水機能を持たせることができるのと同時に、地中への浸透性をも確保することができる。しかも、地中に浸透していく雨水は、自然浸透であるのでその設置場所に応じて適量の雨水を浸透させることができる。
【００２１】
請求項２に記載の浸透貯水桝の敷設構造によれば、第１ベース部を設けることによって、第１ベース部の厚さや開口部の大きさを適宜選択することができ、その場所に適合した浸透性及び貯水性を有した浸透貯水桝の設置構造とすることができる。
【００２２】
請求項３に記載の浸透貯水桝の敷設構造によれば、上部桝に従来と同等若しくはそれ以上の十分なスペースを有する集水桝を形成させつつ、下部桝には十分な貯水機能を備えた桝を設けることができる。これにより従来のように桝周囲に貯水機能を有する埋設を行う必要がなくなる。
【００２３】
請求項４に記載の浸透貯水桝の敷設構造によれば、第１ベース部を設けることによって、安定した浸透貯水桝を敷設することができるようになる。また第１ベース部の厚さ及び開口部の大きさを選択することにより下部の貯水性を調整することができる。
【００２４】
請求項５に記載の浸透貯水桝の敷設構造によれば、下部貯水桝と上部集水桝との間に第第２ベース部を設置することにより、第２ベース部の形状によって上部集水桝を様々位置に配置することができる。そのため、その設置場所に応じて適切な位置に上部集水桝を備えた浸透貯水桝の敷設をおこなうことができる。
【００２５】
請求項６に記載の浸透貯水桝の敷設構造によれば、浸透貯水部材にポーラスコンクリート及び単粒度砕石を用いることにより、容易かつ安価に貯水機能と浸透機能を持たせた浸透貯水部材を提供することができる。
【発明を実施するための最良の形態】
【００２６】
本発明の浸透貯水桝の敷設構造は、いわゆる雨水桝に雨水の十分な集水機能を確保しつつ、雨水の浸透機能及び貯水機能を付加したものである。本発明は、一つの桝で敷設したものと、二つの桝で敷設したものの２種類がある。便宜のため、前者を単独タイプ、後者を積み上げタイプとし各タイプに分け、実施例に従って本発明の浸透貯水桝の敷設構造について説明する。
【００２７】
（実施例１）
単独タイプの浸透貯水桝の敷設構造について説明する。図１には、実施例１の浸透貯水桝の右側のみ断面で表した一部断面図が示されている。図２には、実施例１に使用される浸透貯水桝の斜視図が示されている。まず、浸透貯水桝１００について説明する。図２に示すように、浸透貯水桝１００は周囲を壁面で囲われた略直方体に形成され、上端は蓋体が取り付けられるよう開口部１１を有している。底面にも雨水を浸透させるため、四角形の底面開口部１２を備えている。
【００２８】
次に、この浸透貯水桝１００を用いた敷設構造について説明する。まず、浸透貯水桝１００を敷設するために掘削された路面穴に浸透貯水桝１００を設置する。このとき、図１のように基礎部１１０に砕石して基礎部を設けておいてもよいし、地中に直接載置してもよい。その後、底面開口部１２に浸透貯水部材５０を埋入する。浸透貯水部材５０は、一定量の雨水を保水することができ、かつ雨水を浸透透過する機能を有する部材であれば、その素材を特に限定するものではない。好ましくはポーラスコンクリートや単粒度砕石を用いると雨水の浸透性が高く、かつ石の隙間に一定の雨水を貯水することができるため都合がよい。そして、通常の雨水桝と同様に雨水管やオーバーフロー管を接続した後、浸透貯水桝１００の周囲を土砂で埋めて完成する。この場合、浸透貯水桝１００の側面から雨水は浸透しないので、浸透貯水桝１００を完全に固定できるように周囲の土砂を押し固めても構わない。
【００２９】
以上のような浸透貯水桝１００の敷設構造によれば、雨水は上端の開口部１１や雨水管を介して浸透貯水桝１００へ集められ、底面に設けられた浸透貯水部材５０によって、一定量の雨水は一端貯水され、徐々に浸透貯水部材５０を通って底面から地中に排水される。
【００３０】
この単独タイプの浸透貯水桝１００の敷設構造は、いわゆる一般の雨水桝の底面部に雨水の浸透機能と貯水機能を付加したものである。底面部にこのような機能を設けたのは、雨水桝は側面に接続された配水管を通して雨水が集水されるものであるので、桝内部の空間は必ず確保する必要がある。従って、集水桝内部に浸透貯水部材５０を投入することはできない。もし、集水桝内部に浸透貯水部材５０を埋めれば水が溢れてしまうからである。そこで、本発明は集水桝の底面に底面開口部１２を設けて、この底面開口部１２に浸透性と貯水性を有する浸透貯水部材５０を投入したのである。底面開口部１２の大きさや深さを特に限定するものではなく、必要とする貯水量に応じて設定することができる。すなわち貯水量を多くしたいときは、大きく、深い底面開口部１２を設ければよい。
【００３１】
（実施例２）
実施例２における浸透貯水桝１００の敷設構造の一部断面図が図３に示されている。実施例２における浸透貯水桝１００の桝本体１０は、周囲を壁面で囲われた略直方体に形成され、上端は蓋体が取り付けられるよう開口部１１を有している。底面は、雨水を浸透させるため全面が開口した底面開口部１２を有している。
【００３２】
第１ベース部４０は、図４に示したように、矩形の平面板をなし中央に四角形の凸部４２を備え、桝本体１０の底面と嵌合することができる。さらに、その凸部の中央に開口した通水孔４１が設けられている。
【００３３】
以上の如く形成された桝本体１０と第１ベース部４０は、基礎部に第１ベース部４０を敷設した後、その上面に桝本体１０が載置され、全体で浸透貯水桝１００を形成する。このような別体の第１ベース部４０を設けることによって、様々な厚さのものや様々な大きさの通水孔４１を備えたものを用意することができ、必要な排水処理量及び貯水処理量に応じて適宜選択して使用することができる。また、このように別体の第１ベース部４０を用意しておけば、図５の第１ベース部のように、予め通水孔４１に浸透貯水部材５０を投入した製品を作製しておくことができるため、現場において通水孔４１に浸透貯水部材５０を埋設する工程を省くこともできる。
【００３４】
こうして敷設された単独タイプの浸透貯水桝１００の敷設構造によれば、底面部に設けられる浸透貯水部材層で一定量の雨水を貯水しつつ、かつその底面部から徐々に雨水が浸みだし適量の雨水が地中へ浸透していくことになる。このとき浸透しきれなかった雨水は、従来通り配水管を通って河川へと導かれることになる。
【００３５】
次に、積み上げタイプの浸透貯水桝の敷設構造について説明する。
【００３６】
（実施例３）
図６に本実施例における浸透貯水桝１００の斜視図が示されている。図７には、本実施例の右側のみが断面で示された一部断面図が示されている。図１２には、本実施例の使用状態が示されている。積み上げタイプの浸透貯水桝１００は、図６、７に示すように、上方に設置される通常の雨水桝と同様の大きさを有する上部集水桝３０と、その下に設置される上部集水桝３０より大きく作製された下部貯水桝２０とを備えている。下部貯水桝２０は雨水の貯水機能を有するものであるので、多くの雨水を貯水することができるように上部集水桝３０と比較して大きな容積を有しているのである。上部集水桝３０は、実施例１と同様に周囲を壁面で囲われた略直方体に形成され、上端は蓋体が取り付けられるよう開口部３２を有している。底面は雨水を通過させるため底面開口部が設けられている。下部貯水桝２０の桝本体２１も周囲を壁面で囲われた略直方体に形成され、底面に雨水を浸透させるための底面開口部が設けられている。
【００３７】
下部貯水桝２０の下面には、第１ベース部４０が設けられている。第１ベース部４０は、下部貯水桝２０を載置するために板状に形成されていて、下部貯水桝２０を安定して固定するためのものである。基本的形状は実施例１に記載した図４と大きさが異なるだけで同様の形状である。また、第１ベース部４０は、実施例１と同様に下部貯水桝２０の内側の輪郭に沿うように上面内側が凸状に形成されており、第１ベース部４０に下部貯水桝２０を載置すると嵌合して固定することができる。第１ベース部４０の凸部内には、下面と上面を貫通した通水孔４１が設けられていて、この通水孔４１にも浸透貯水部材５０が埋入され浸透貯水機能を有するものとなる。なお、この第１ベースは必須なものではなく、底面に一体に設けてあってもよいし、底面に同様の機能を設けて第１ベース部を省略してもよい。
【００３８】
一方、上部集水桝３０と下部貯水桝２０との間には、第２ベース部４５が設けられている。第２ベース部４５は、下部貯水桝２０の上に上部集水桝３０を安定して載置するための連結部材としての機能をするものである。そのため図８に示すように第２ベース部４５の下面には下部貯水桝２０の上面開口と嵌合するように下面凸部４６が設けられ、第２ベース部４５の上面には、上部集水桝３０の底面開口部２３と嵌合するように上面凸部４７が設けられている。上面凸部４７は、上部集水桝３０が下部貯水桝２０と比較して小さく形成されているので、その載置位置に応じて上面凸部４７が適切な位置、大きさに設けられる。例えば、上部集水桝３０を中央に設置したい場合には、図８に示したように中央に上面凸部４７が設けられる。また、辺部に設けたい場合には、図９に示したように中央から辺側に上面凸部４７が設けられる。さらに、隅部に設けたい場合には、図１０に示したように隅部に上面凸部４７が設けられる。このように辺部や隅部に上部集水桝３０を設ける理由は、例えば、図７において、歩道が私道であった場合に、中央に上部集水桝３０を設けると下部貯水桝２０が私道内に侵入してしまうからである。この場合辺や隅に設ければ、図１１のように端に上部集水桝３０が設けられることになるため、下部貯水桝２０が私道側に侵入するのを防止することができる。さらに、第２ベース部４５の内側に上部集水桝３０と下部貯水桝２０との間で雨水が通過することができるように通水孔４８が形成されている。この通水孔４８に上部集水桝３０で集水された雨水に混じったゴミを下部貯水桝２０に流すことがないように金網や細孔が設けられている鉄板などの濾過部材４９を取り付けてもよい。なお、第２ベース部も必ずしも別体に形成する必要はなく、予め下部貯水桝２０に第２ベース部と同様の形状のものを一体に形成しておいてもよい。
【００３９】
次に、以上のように形成された上部集水桝３０、下部貯水桝２０、第１ベース部４０及び第２ベース部４５を用いた浸透貯水桝１００の敷設構造について説明する。まず、浸透貯水桝１００を敷設するために掘削された路面穴に第１ベース部４０を設置する。このとき図７のように基礎部に砕石を敷設しておいてもよい。その後、下部貯水桝２０を第１ベース部４０の凸部に嵌合するように設置した後、下部貯水桝２０内に浸透貯水部材５０を埋入する。その後、第２ベース部４５の下面凸部４６と下部貯水桝２０の開口が嵌合するようにして下部貯水桝２０に設置した後、上部集水桝３０を第２ベース部４５の上面凸部４７に嵌合するように設置する。こうして浸透貯水桝１００を完成させる。その後、雨水管やオーバーフロー管を上部集水桝３０に接続し、浸透貯水桝１００の周囲を土砂で埋めて完成する。この第３実施例においても、実施例１と同様に、浸透貯水桝１００の側面は雨水の浸透性に影響しないので、完全に押し固めて構わない。設置された状態を示す参考図が図１２に示されている。なお、第１ベース部４０を省略し下部貯水桝を直接基礎部に設置するといった変形をおこなっても良いし、下部貯水桝に予め上部集水桝を設置できるように作製しておいて、第２ベース部４５を省略しても構わない。
【００４０】
こうして構築された浸透貯水桝１００の敷設構造によれば、上部集水桝３０は従来の雨水桝と同様の形態を有しているので、従来と同様の雨水を集水する機能を有する。一方で上部集水桝３０の下方には、浸透貯水部材５０が埋入された下部貯水桝２０を有しているので、実施例１と比較して大量の雨水を貯水することができるとともに、余分な雨水は第１ベース部４０の下面から地中に雨水を浸透させることができる。しかも雨水は自然落下によって浸透していくので、無理な排水をさせることがなく、自然に適合した量の雨水を浸透させることができるのである。
【図面の簡単な説明】
【００４１】
【図１】実施例１に係る浸透貯水桝の敷設構造を示す一部断面図である。
【図２】実施例１に係る浸透貯水桝の敷設構造に使用される浸透貯水桝の斜視図である。
【図３】実施例２に係る浸透貯水桝の敷設構造を示す一部断面図である。
【図４】実施例２に係る浸透貯水桝の敷設構造の一部である第１ベース部を示す斜視図である。
【図５】実施例２に係る浸透貯水桝の敷設構造の一部である第１ベース部に浸透貯水部材を埋入した斜視図である。
【図６】実施例３に係る浸透貯水桝の敷設構造に使用される浸透貯水桝の斜視図である。
【図７】実施例３に係る浸透貯水桝の敷設構造を示す一部断面図である。
【図８】実施例３に係る浸透貯水桝の敷設構造の一部である第２ベース部の斜視図である。
【図９】実施例３に係る浸透貯水桝の敷設構造の一部である第２ベース部の変形例を示す斜視図である。
【図１０】実施例３に係る浸透貯水桝の敷設構造の一部である第２ベース部の変形例を示す斜視図である。
【図１１】実施例３に係る浸透貯水桝の敷設構造の一部である第２ベース部の変形例を用いた敷設構造を示す斜視図である。
【図１２】実施例３に係る浸透貯水桝の敷設構造を用いた使用状態を示す斜視図である。
【図１３】従来の浸透桝を示す図である。
【図１４】従来の浸透桝の設置状態を示す図である。
【図１５】従来の浸透桝の別参考例を示す図である。
【符号の説明】
【００４２】
１００          浸透貯水桝
１１            開口部
２０            下部貯水桝
２１            桝本体
３０            上部集水桝
４０            第１ベース部
４１            通水孔
４５            第２ベース部
５０            浸透貯水部材
【図１】
2006077493.tif 000003
【図２】
2006077493.tif 000004
【図３】
2006077493.tif 000005
【図４】
2006077493.tif 000006
【図５】
2006077493.tif 000007
【図６】
2006077493.tif 000008
【図７】
2006077493.tif 000009
【図８】
2006077493.tif 000010
【図９】
2006077493.tif 000011
【図１０】
2006077493.tif 000012
【図１１】
2006077493.tif 000013
【図１２】
2006077493.tif 000014
【図１３】
2006077493.tif 000015
【図１４】
2006077493.tif 000016
【図１５】
2006077493.tif 000017
【手続補正書】
【提出日】平成17年1月4日(2005.1.4)
【手続補正１】
【補正対象書類名】特許請求の範囲
【補正対象項目名】全文
【補正方法】変更
【補正の内容】
【特許請求の範囲】
【請求項１】
道路に設置される浸透貯水桝の敷設構造において、
掘削された路面孔に、桝本体底面の一部又は全体に底面開口部が設けられてなる下部貯水桝を設置し、
該下部貯水桝に、桝本体底面の一部又は全体に底面開口部が設けられた上部集水桝を設置し、
前記下部貯水桝の内側に、雨水浸透性かつ一定量の雨水貯水性を有する浸透貯水部材を埋入し、
下部貯水桝と上部集水桝との間にそれぞれの桝を連結する第２ベース部を設置し、該第２ベース部の形状によって上部集水桝の位置を変更可能であることを特徴とする浸透貯水桝の敷設構造。
【請求項２】
下部貯水桝の下方に、上面から下面まで貫通する通水孔が設けられた第１ベース部を設置してなることを特徴とする請求項１に記載の浸透貯水桝の敷設構造。
【請求項３】
浸透貯水部材は、ポーラスコンクリート又は単粒度砕石からなることを特徴とする請求項１又は２に記載の浸透貯水桝の敷設構造。
【手続補正２】
【補正対象書類名】明細書
【補正対象項目名】全文
【補正方法】変更
【補正の内容】
【発明の詳細な説明】
【技術分野】
【０００１】
本発明は、道路の雨水を流す側溝の途中に設置される雨水桝等の集水桝の敷設構造に関するものであり、特に集水機能及び貯水機能を有し、かつ地中に浸透させる機能をも有する浸透貯水桝の敷設構造に関する。
【背景技術】
【０００２】
従来、雨水の大半は地中に浸透して地下へ浸透し、河川や地下水へと流れていった。地中内の土砂は貯水機能を有するため、時間をかけて徐々に地下水として浸透していき、徐々に河川に流れていく。そのため、昔は地下水や河川の水量は安定して保たれていた。しかし、近年の都市開発によって地表が舗装化されるにつれて、雨水は側溝等の排水施設を通って直接に河川へ流されていくことが多くなった。すなわち、雨水は道路上を流れて側溝に集水され、側溝から集水桝を介して配水管を通って早いスピードで河川へ流れていく。そのため、地中による貯水機能は奪われ、地下水は減少し、河川の平常時流水量の減少を招くことになった。極端な場合には河川の水位が全くなくなってしまう地域さえ現れ始めている。その一方で大雨が降った場合には、大量の雨水が地中に浸透することなく一度に河川に流れ込むので河川の水量は短期間で急激に増加して、水位の急激な上昇を招き易く成っている。以上の事情から、舗装道路に降った雨水を一時的に貯水し、結果的に地中へ浸透させることができる排水施設が必要とされている。
【０００３】
そこで、従来から雨水が集水される集水桝に浸透機能をもたせ、地中に雨水を浸透させる雨水浸透桝が開発されてきた。例えば、図１３に示すようなポーラスな壁面を有する四角筒形状の本体４と、該本体４の上端開口を塞ぐ蓋体５とからなる雨水浸透桝において、上記四角筒形状の本体４をその四角筒の軸芯を含む対角面で４分割した形状となる板状ブロック１の突き合わせにより構成した雨水浸透桝について提案されている。
【０００４】
この雨水浸透桝の敷設構造は、簡単に説明すると、図１４に示すように雨水桝の設置穴の掘削を行い、該掘削穴３０の大きさに合わせて切断した透水シート３１を掘削穴の周囲に付設し、続いて、掘削穴３０の下部に砕石３２を投入する。その上に雨水浸透桝を設置する。そして、設置した雨水浸透桝の本体と上記透水シート３１との間隙に砕石３６を投入して間隙を埋め、最後に表層を整地するというものである（以上、特許文献１参照）。
【０００５】
また、図１５に示すように、雨水５５を流す配水管路に配設され、雨水を地中に浸透させるための雨水浸透桝２０であって、壁面部２５に複数の第１貫通孔２６が形成され、上部の開口部２７に蓋２８が取り付けられる桝本体２９と、この桝本体の壁面部の少なくとも筒状部を囲って設けられ、前記壁面部の周囲にスペース３０を形成するような形状を有し、かつ複数の第２の貫通孔３１が形成されたスペース形成部材３２と、このスペース形成部材を囲って設けられ雨水が透過可能な透水性シート材３４とを備えた雨水浸透桝も開示されている。
【０００６】
この雨水浸透桝は、最初に雨水浸透桝２０を設置するための大きめの穴４５を堀り、この穴４５の中に雨水浸透桝２０を設置する。そして、いくつかの工程の後、穴４５の内面と雨水浸透桝２０との間の空間部に砂４６を所定の高さ位置Ｂまで充填するという敷設構造を採る（以上特許文献２）。
【０００７】
これらの従来の集水桝は、集水桝に孔等を穿って浸透性を確保しているが、貯水機能は桝の外に埋められる砕石や砂によって得ていた。従って、集水桝自体に貯水機能を有するものではなかった。また、従来の雨水浸透桝は、周囲に貯水機能を持たせる必要があるため、砕石や土砂の間に一定の空隙を設けた状態で周囲を埋めなければならない。しかし、一定の空隙を設けた状態で埋めると強度を確保することができず実際としては非常に敷設が難しかった。
【特許文献１】特開平１１−２５６６６４号公報
【特許文献２】特開２０００−２８２５５４号公報
【発明の開示】
【発明が解決しようとする課題】
【０００８】
そこで、本発明は以上のような問題点を鑑みてなされたものであり、桝周囲に貯水機能を有した敷設構造を必要とすることなく、雨水桝自体に浸透及び貯水機能を有した浸透貯水桝の敷設構造を提供することにある。
【課題を解決するための手段】
【０００９】
まず、参考例として道路に設置される浸透貯水桝１００の敷設構造において、掘削された路面穴に、桝本体底面１１の一部又は全体に底面開口部１２が設けられてなる浸透貯水桝１００を設置し、前記底面開口部１２に、雨水浸透性かつ一定量の雨水貯水性を有する浸透貯水部材５０を埋入してなる浸透貯水桝１００の敷設構造、がある。
【００１０】
本参考例の浸透貯水桝１００の敷設構造は、雨水桝自体に雨水を貯水する機能及び浸透機能を付加したものである。そのため桝本体の底面に、雨水を貯水可能で、かつ浸透可能な浸透貯水部材５０を埋入し、浸透貯水桝１００の底面部において雨水を貯水でき、浸透させることができるようにしたものがある。なお、浸透貯水桝１００は、側面に雨水の浸透貯水機能を持たせてはいない。これは側面に雨水の浸透貯水機能を付与すると浸透貯水桝１００の周囲にも浸透貯水機能を有するように土砂や砂利を埋設する必要がでてくる。そうすると、これら埋設された土砂や砂利の間に空隙を設けなければならなくなり、これら土砂等を押し固めることができずに、浸透貯水桝１００の周囲の土砂で浸透貯水桝を完全に固定することができなくなってしまうからである。そこで、本発明の浸透貯水桝１００は、底面側にのみ浸透機能を持たせて側面には浸透機能を持たせることなくしたのである。したがって、周囲に埋設される土砂の浸透性を必要とせずに完全に固めることができ、安定して浸透貯水桝１００を固定することができるのである。なお、浸透貯水桝１００の底面にある浸透貯水部材５０を埋入する底面開口部１２の大きさや底面の厚さは特に限定するものではない。貯水機能を向上させたければ、底面開口部１２を大きく、かつ底面を厚く設ければよい。
【００１１】
さらに、掘削された路面孔に、上面から下面まで貫通する通水孔４１が設けられた第１ベース部４０を設置し、該第１ベース部４０に、底面の一部又は全体に底面開口部が設けられてなる桝本体１０を設置し、該第１ベース部４０の通水孔４１又は／及び底面開口部に雨水浸透性かつ一定量の雨水貯水性を有する浸透貯水部材５０を埋入してなる浸透貯水桝１００の敷設構造がある。
【００１２】
この浸透貯水桝１００の敷設構造は、桝本体１０の底面に別体で作製された第１ベース部４０を設置したものである。別体の第１ベース部４０を設けることによって、路面孔の基礎部に桝本体１０よりも広い面積で設置することができるため、桝本体１０の載置状態を安定させることができる。また、底面部を別体に設けることで、様々な厚さや通水孔の大きさを有する第１ベース部４０を用意しておくことができ、様々な浸透貯水性能を有する浸透貯水桝１００を作製することができる。
【００１３】
ここで、本願請求項１に記載された発明が採った手段は、道路に設置される浸透貯水桝１００の敷設構造において、掘削された路面孔に、桝本体２１底面の一部又は全体に底面開口部が設けられてなる下部貯水桝２０を設置し、該下部貯水桝２０に、桝本体底面の一部又は全体に底面開口部が設けられた上部集水桝３０を設置し、前記下部貯水桝２０の内側に、雨水浸透性かつ一定量の雨水貯水性を有する浸透貯水部材５０を埋入し、下部貯水桝２０と上部集水桝３０との間にそれぞれの桝を連結する第２ベース部４５を設置し、該第２ベース部４５の形状によって上部集水桝の位置を変更可能であることを特徴とする浸透貯水桝１００の敷設構造、とするものである。
【００１４】
請求項１に記載された発明は、参考例に対し、集水機能を有する桝と、貯水機能を有する桝とを分離したものである。すなわち、集水機能を上部集水桝３０に集中し、貯水機能を下部貯水桝２０に集中させたものである。上部集水桝３０は、従来の雨水桝の機能を有するものであり、底面に下部貯水桝２０を有し、そこが雨水を浸透させる機能を有する点以外は従来の桝と基本的には異なるところはない。下部貯水桝２０は、内部に浸透貯水部材５０が埋入されていて雨水の貯水機能及び浸透機能を有するものである。上部集水桝３０に集水された雨水は下部貯水桝２０に流れ、埋入された浸透貯水部材５０によって、一定量貯水されて徐々に地中に浸透していくことになる。浸透しきれない雨水は、上部集水桝に設けられた従来と同様のオーバーフロー管を通して排水されていく。このように下方に貯水浸透機能を有する貯水桝を設置することで、従来であれば桝の外側に貯水浸透機能を有する埋設物を設置しなければならなかったのであるが、本発明は貯水桝内に貯水浸透機能を有しているので、その必要がなくなる。勿論そのような埋設物を設置することを排除するものではない。また、第２ベース部４５は、下部貯水桝２０と上部貯水桝３０の連結部材としての機能を有するものである。このような連結部材を用いることにより、下部貯水桝２０に容易に上部貯水桝３０を載置することができる。
【００１５】
さらに、請求項２に記載された発明の採った手段は、下部貯水桝２０の下方に、上面から下面まで貫通する通水孔４１が設けられた第１ベース部４０を設置してなることを特徴とする請求項１に記載の浸透貯水桝１００の敷設構造、とするものである。
【００１６】
本発明は、下部貯水桝２０の底面に別体に作製された第１ベース部４０を設けたものである。参考例と同様に、別体の第１ベース部４０を設けることによって、基礎部に下部貯水桝２０よりも広い面積で基礎部に載置することができるため浸透貯水桝１００を安定させることができる。
【００１７】
さらに、請求項３に記載された発明の採った手段は、浸透貯水部材５０は、ポーラスコンクリート又は単粒度砕石からなることを特徴とする請求項１又は２に記載の浸透貯水桝の敷設構造、とするものである。これは浸透貯水部材５０として安価で、かつ貯水機能の優れるポーラスコンクリートや単粒度砕石を利用したものである。
【発明の効果】
【００１８】
参考例の浸透貯水桝の敷設構造によれば、貯水桝の底面に底面開口部を設け、その底面開口部に浸透貯水部材を導入することによって、底面部に雨水の貯水機能を持たせることができるのと同時に、地中への浸透性をも確保することができる。しかも、地中に浸透していく雨水は、自然浸透であるのでその設置場所に応じて適量の雨水を浸透させることができる。
【００１９】
また、第１ベース部を設けることによって、第１ベース部の厚さや開口部の大きさを適宜選択することができ、その場所に適合した浸透性及び貯水性を有した浸透貯水桝の設置構造とすることができる。
【００２０】
本発明請求項１に記載の浸透貯水桝の敷設構造によれば、上部桝に従来と同等若しくはそれ以上の十分なスペースを有する集水桝を形成させつつ、下部桝には十分な貯水機能を備えた桝を設けることができる。これにより従来のように桝周囲に貯水機能を有する埋設構造が必要なくなる。下部貯水桝と上部集水桝との間に第第２ベース部を設置することにより、第２ベース部の形状によって上部集水桝を様々位置に配置することができる。そのため、その設置場所に応じて適切な位置に上部集水桝を備えた浸透貯水桝の敷設を行うことができる。
【００２１】
請求項２に記載の浸透貯水桝の敷設構造によれば、第１ベース部を設けることによって、安定した浸透貯水桝を敷設することができるようになる。また第１ベース部の厚さ及び開口部の大きさを選択することにより下部貯水桝の貯水性を調整することができる。
【００２２】
請求項３に記載の浸透貯水桝の敷設構造によれば、浸透貯水部材にポーラスコンクリート及び単粒度砕石を用いることにより、容易かつ安価に貯水機能と浸透機能を持たせた浸透貯水部材を提供することができる。
【発明を実施するための最良の形態】
【００２３】
本発明の浸透貯水桝の敷設構造は、いわゆる雨水桝に雨水の十分な集水機能を確保しつつ、雨水の浸透機能及び貯水機能を付加したものである。本例は、一つの桝で敷設した参考例と、二つの桝で敷設した本発明のものとの２種類を説明する。便宜のため、前者を単独タイプ、後者を積み上げタイプとして説明する。
【００２４】
（参考例１）
単独タイプの浸透貯水桝の敷設構造について説明する。図１には、参考例１の浸透貯水桝の右側のみ断面で表した一部断面図が示されている。図２には、参考例１に使用される浸透貯水桝の斜視図が示されている。まず、浸透貯水桝１００について説明する。図２に示すように、浸透貯水桝１００は周囲を壁面で囲われた略直方体に形成され、上端は蓋体が取り付けられるよう開口部１１を有している。底面にも雨水を浸透させるため、四角形の底面開口部１２を備えている。
【００２５】
次に、この浸透貯水桝１００を用いた敷設構造について説明する。まず、浸透貯水桝１００を敷設するために掘削された路面穴に浸透貯水桝１００を設置する。このとき、図１のように基礎部１１０に砕石して基礎部を設けておいてもよいし、地中に直接載置してもよい。その後、底面開口部１２に浸透貯水部材５０を埋入する。浸透貯水部材５０は、一定量の雨水を保水することができ、かつ雨水を浸透透過する機能を有する部材であれば、その素材を特に限定するものではない。好ましくはポーラスコンクリートや単粒度砕石を用いると雨水の浸透性が高く、かつ石の隙間に一定の雨水を貯水することができるため都合がよい。そして、通常の雨水桝と同様に雨水管やオーバーフロー管を接続した後、浸透貯水桝１００の周囲を土砂で埋めて完成する。この場合、浸透貯水桝１００の側面から雨水は浸透しないので、浸透貯水桝１００を完全に固定できるように周囲の土砂を押し固めて構わない。
【００２６】
以上のような浸透貯水桝１００の敷設構造によれば、雨水は上端の開口部１１や雨水管を介して浸透貯水桝１００へ集められ、底面に設けられた浸透貯水部材５０によって、一定量の雨水は一端貯水され、徐々に浸透貯水部材５０を通って底面から地中に排水される。
【００２７】
この単独タイプの浸透貯水桝１００の敷設構造は、いわゆる一般の雨水桝の底面部に雨水の浸透機能と貯水機能を付加したものである。底面部にこのような機能を設けたのは、雨水桝は側面に接続された配水管を通して雨水が集水されるものであるので、桝内部の空間は必ず確保する必要がある。従って、集水桝内部に浸透貯水部材５０を投入することはできない。もし、集水桝内部に浸透貯水部材５０を埋めれば水が溢れてしまうからである。そこで、本発明は集水桝の底面に底面開口部１２を設けて、この底面開口部１２に浸透性と貯水性を有する浸透貯水部材５０を投入したのである。底面開口部１２の大きさや深さを特に限定するものではなく、必要とする貯水量に応じて設定することができる。すなわち貯水量を多くしたいときは、大きく、深い底面開口部１２を設ければよい。
【００２８】
（参考例２）
参考例２における浸透貯水桝１００の敷設構造の一部断面図が図３に示されている。参考例２における浸透貯水桝１００の桝本体１０は、周囲を壁面で囲われた略直方体に形成され、上端は蓋体が取り付けられるよう開口部１１を有している。底面は、雨水を浸透させるため全面が開口した底面開口部１２を有している。
【００２９】
第１ベース部４０は、図４に示したように、矩形の平面板をなし中央に四角形の凸部４２を備え、桝本体１０の底面と嵌合することができる。さらに、その凸部の中央に開口した通水孔４１が設けられている。
【００３０】
以上の如く形成された桝本体１０と第１ベース部４０は、基礎部に第１ベース部４０を敷設した後、その上面に桝本体１０が載置され、全体で浸透貯水桝１００を形成する。このような別体の第１ベース部４０を設けることによって、様々な厚さのものや様々な大きさの通水孔４１を備えたものを用意することができ、必要な排水処理量及び貯水処理量に応じて適宜選択して使用することができる。また、このように別体の第１ベース部４０を用意しておけば、図５の第１ベース部のように、予め通水孔４１に浸透貯水部材５０を投入した製品を作製しておくことができるため、現場において通水孔４１に浸透貯水部材５０を埋設する工程を省くこともできる。
【００３１】
こうして敷設された単独タイプの浸透貯水桝１００の敷設構造によれば、底面部に設けられる浸透貯水部材層で一定量の雨水を貯水しつつ、かつその底面部から徐々に雨水が浸みだし適量の雨水が地中へ浸透していくことになる。このとき浸透しきれなかった雨水は、従来通り配水管を通って河川へと導かれることになる。
【００３２】
次に、積み上げタイプの本発明の浸透貯水桝の敷設構造について説明する。
【００３３】
（実施例１）
図６に本実施例における浸透貯水桝１００の斜視図が示されている。図７には、本実施例の右側のみが断面で示された一部断面図が示されている。図１２には、本実施例の使用状態が示されている。積み上げタイプの浸透貯水桝１００は、図６、７に示すように、上方に設置される通常の雨水桝と同様の大きさを有する上部集水桝３０と、その下に設置される上部集水桝３０より大きく作製された下部貯水桝２０とを備えている。下部貯水桝２０は雨水の貯水機能を有するものであるので、多くの雨水を貯水することができるように上部集水桝３０と比較して大きな容積を有している。上部集水桝３０は、参考例１と同様に周囲を壁面で囲われた略直方体に形成され、上端は蓋体が取り付けられるよう開口部３２を有している。底面は雨水を通過させるため底面開口部が設けられている。下部貯水桝２０の桝本体２１も周囲を壁面で囲われた略直方体に形成され、底面に雨水を浸透させるための底面開口部が設けられている。
【００３４】
下部貯水桝２０の下面には、第１ベース部４０が設けられている。第１ベース部４０は、下部貯水桝２０を載置するために板状に形成されていて、下部貯水桝２０を安定して固定するためのものである。基本的形状は参考例１に記載した図４と大きさが異なるだけで同様の形状である。また、第１ベース部４０は、実施例１と同様に下部貯水桝２０の内側の輪郭に沿うように上面内側が凸状に形成されており、第１ベース部４０に下部貯水桝２０を載置すると嵌合して固定することができる。第１ベース部４０の凸部内には、下面と上面を貫通した通水孔４１が設けられていて、この通水孔４１にも浸透貯水部材５０が埋入され浸透貯水機能を有するものとなる。なお、この第１ベースは必須なものではなく、底面に一体に設けてあってもよいし、底面に同様の機能を設けて第１ベース部を省略してもよい。
【００３５】
一方、上部集水桝３０と下部貯水桝２０との間には、第２ベース部４５が設けられている。第２ベース部４５は、下部貯水桝２０の上に上部集水桝３０を安定して載置するための連結部材としての機能をするものである。そのため図８に示すように第２ベース部４５の下面には下部貯水桝２０の上面開口と嵌合するように下面凸部４６が設けられ、第２ベース部４５の上面には、上部集水桝３０の底面開口部２３と嵌合するように上面凸部４７が設けられている。上面凸部４７は、上部集水桝３０が下部貯水桝２０と比較して小さく形成されているので、その載置位置に応じて上面凸部４７が適切な位置、大きさに設けられる。例えば、上部集水桝３０を中央に設置したい場合には、図８に示したように中央に上面凸部４７が設けられる。また、辺部に設けたい場合には、図９に示したように中央から辺側に上面凸部４７が設けられる。さらに、隅部に設けたい場合には、図１０に示したように隅部に上面凸部４７が設けられる。このように辺部や隅部に上部集水桝３０を設ける理由は、例えば、図７において、歩道が私道であった場合に、中央に上部集水桝３０を設けると下部貯水桝２０が私道内に侵入してしまうからである。この場合辺や隅に設ければ、図１１のように端に上部集水桝３０が設けられることになるため、下部貯水桝２０が私道側に侵入するのを防止することができる。さらに、第２ベース部４５の内側に上部集水桝３０と下部貯水桝２０との間で雨水が通過することができるように通水孔４８が形成されている。この通水孔４８に上部集水桝３０で集水された雨水に混じったゴミを下部貯水桝２０に流すことがないように金網や細孔が設けられている鉄板などの濾過部材４９を取り付けてもよい。なお、第２ベース部も必ずしも別体に形成する必要はなく、予め下部貯水桝２０に第２ベース部と同様の形状のものを一体に形成しておいてもよい。
【００３６】
次に、以上のように形成された上部集水桝３０、下部貯水桝２０、第１ベース部４０及び第２ベース部４５を用いた浸透貯水桝１００の敷設構造について説明する。まず、浸透貯水桝１００を敷設するために掘削された路面穴に第１ベース部４０を設置する。このとき図７のように基礎部に砕石を敷設しておいてもよい。その後、下部貯水桝２０を第１ベース部４０の凸部に嵌合するように設置した後、下部貯水桝２０内に浸透貯水部材５０を埋入する。その後、第２ベース部４５の下面凸部４６と下部貯水桝２０の開口が嵌合するようにして下部貯水桝２０に設置した後、上部集水桝３０を第２ベース部４５の上面凸部４７に嵌合するように設置する。こうして浸透貯水桝１００を完成させる。その後、雨水管やオーバーフロー管を上部集水桝３０に接続し、浸透貯水桝１００の周囲を土砂で埋めて完成する。この第３実施例においても、実施例１と同様に、浸透貯水桝１００の側面は雨水の浸透性に影響しないので、完全に押し固めて構わない。設置された状態を示す参考図が図１２に示されている。なお、第１ベース部４０を省略し下部貯水桝を直接基礎部に設置するといった変形を行っても良いし、下部貯水桝に予め上部集水桝を設置できるように作製しておいて、第２ベース部４５を省略しても構わない。
【００３７】
こうして構築された浸透貯水桝１００の敷設構造によれば、上部集水桝３０は従来の雨水桝と同様の形態を有しているので、従来と同様の雨水を集水する機能を有する。一方で上部集水桝３０の下方には、浸透貯水部材５０が埋入された下部貯水桝２０を有しているので、参考例１と比較して大量の雨水を貯水することができるとともに、余分な雨水は第１ベース部４０の下面から地中に雨水を浸透させることができる。しかも雨水は自然落下によって浸透していくので、無理な排水をさせることがなく、自然に適合した量の雨水を浸透させることができるのである。
【図面の簡単な説明】
【００３８】
【図１】参考例１に係る浸透貯水桝の敷設構造を示す一部断面図である。
【図２】参考例１に係る浸透貯水桝の敷設構造に使用される浸透貯水桝の斜視図である。
【図３】参考例２に係る浸透貯水桝の敷設構造を示す一部断面図である。
【図４】参考例２に係る浸透貯水桝の敷設構造の一部である第１ベース部を示す斜視図である。
【図５】参考例２に係る浸透貯水桝の敷設構造の一部である第１ベース部に浸透貯水部材を埋入した斜視図である。
【図６】実施例１に係る浸透貯水桝の敷設構造に使用される浸透貯水桝の斜視図である。
【図７】実施例１に係る浸透貯水桝の敷設構造を示す一部断面図である。
【図８】実施例１に係る浸透貯水桝の敷設構造の一部である第２ベース部の斜視図である。
【図９】実施例１に係る浸透貯水桝の敷設構造の一部である第２ベース部の変形例を示す斜視図である。
【図１０】実施例１に係る浸透貯水桝の敷設構造の一部である第２ベース部の変形例を示す斜視図である。
【図１１】実施例１に係る浸透貯水桝の敷設構造の一部である第２ベース部の変形例を用いた敷設構造を示す斜視図である。
【図１２】実施例１に係る浸透貯水桝の敷設構造を用いた使用状態を示す斜視図である。
【図１３】従来の浸透桝を示す図である。
【図１４】従来の浸透桝の設置状態を示す図である。
【図１５】従来の浸透桝の別参考例を示す図である。
【符号の説明】
【００３９】
１００          浸透貯水桝
１１            開口部
２０            下部貯水桝
２１            桝本体
３０            上部集水桝
４０            第１ベース部
４１            通水孔
４５            第２ベース部
５０            浸透貯水部材